(57)【要約】      （修正有）【課題】ワイヤーハーネスに関する不正行為を防止できると共に引き回し作業も簡素化できる遊技機を提供する。【解決手段】パチンコ機は、機枠に対して開閉可能に装着された本体枠２を備えており、本体枠２の裏面側に払出制御基板を収納した基板ケース２２が取り付けられている。基板ケース２２を構成する上ケース２５の接続領域内には払出制御基板上のコネクタが露出していると共に、接続領域の隅部に切欠き部２２ａが設けられており、コネクタに接続したワイヤーハーネス３０は切欠き部２２ａを通って本体枠２の裏面側の中継基板等へ引き回されている。さらに、上ケース２５に保護カバー２３が被着されており、この保護カバー２３によってコネクタとワイヤーハーネス３０の接続箇所や切欠き部２２ａが包囲されている。【選択図】図７
2014132924.tif 000002
【特許請求の範囲】
【請求項１】
機枠と、この機枠に対して開閉可能に装着された本体枠と、この本体枠の裏面側に配設された基板ケースと、この基板ケースの内部に収納された制御基板とを備え、前記制御基板がワイヤーハーネスを介して前記本体枠の裏面側に設けられた回路基板に接続されている遊技機において、
前記基板ケースが前記制御基板に実装されたコネクタを外部に露出させる接続領域を有しており、この接続領域に前記ワイヤーハーネスの引き回し通路となる切欠き部が設けられていると共に、前記接続領域に少なくとも前記切欠き部を覆う保護カバーが被着されていることを特徴とする遊技機。
【請求項２】
請求項１の記載において、前記制御基板が外形寸法を異にする矩形状の第１基板と第２基板からなり、これら第１および第２基板が前記ケースの内部で接続されていると共に、外形寸法が大きい方の前記第１基板の一側辺に沿って前記第２基板と前記切欠き部が並設されていることを特徴とする遊技機。
【請求項３】
請求項１または２の記載において、前記基板ケースが前記本体枠の裏面側に開閉可能に軸支されていると共に、前記保護カバーが前記基板ケースと同軸上で開閉可能に軸支されていることを特徴とする遊技機。
【発明の詳細な説明】
【技術分野】
【０００１】
本発明は、パチンコ機に代表される遊技機に係り、特に、基板ケースの内部に制御基板を収納して構成される基板ユニットケースに関するものである。
【背景技術】
【０００２】
一般的にパチンコ機は、遊技場の島設備に設置される縦長方形状の機枠（外枠）と、この機枠にヒンジ機構を介して扉状に開閉可能に取り付けられた本体枠と、この本体枠の内側に収容された遊技盤と、本体枠の前面に別のヒンジ機構を介して開閉可能に取り付けられた前面扉とを備えており、前面扉に形成された開口部には遊技盤を目視可能な透明板が取り付けられている。本体枠の裏面側には、電装部品の一つである液晶表示装置が取り付けられる他、それ以外の電装部品として遊技に関する制御を行う種々の制御基板が設けられている。通常、制御基板は基板ケース内に収納されて基板ユニットケースを構成しており、この基板ユニットケースが本体枠の裏面側に着脱可能に取り付けられている。基板ケースは上ケースと下ケースを重ね合わせたボックス体となっており、制御基板上に実装されたコネクタを基板ケースから露出させることにより、制御基板と他の中継基板等をワイヤーハーネスを介して接続できるようになっている。
【０００３】
このように基板ケースの内部に制御基板が収納された基板ユニットケースでは、制御基板に対する不正行為やいたずらを防止するために、基板ケースがアンカーリベットやワンウェイネジ等の封印部材を用いて封印されており、この封印部材の一部を破壊しない限り基板ケースの封印状態を解除できないようになっている。しかしながら、不正行為を行う手口は日を追うごとに巧妙になってきており、例えば、本体枠の周囲にできる隙間から針金やピアノ線等の細線導体を挿入し、この細線導体を本体枠の裏面側まで導いてワイヤーハーネスやコネクタを短絡させたり、基板ケースの外部に露出するコネクタからワイヤーハーネスを一旦引き抜いて不正基板を接続した後、再度このワイヤーハーネスをコネクタに差し込む等、制御基板に不正な信号を入力させて大当たりを発生させるという不正行為が行われるようになってきている。
【０００４】
そこで、従来より、基板ケースから外部に露出する制御基板の接続領域を箱形形状のカバー部材で覆い、このカバー部材からワイヤーハーネスを導出させるようにした基板ユニットケースが提案されている（特許文献１参照）。ここで、制御基板の接続領域には複数のコネクタが実装されており、各コネクタにワイヤーハーネスが個別に接続されている。また、カバー部材の側壁下部にはスリット状の開口部が形成されており、この開口部から複数のワイヤーハーネスが平面的に位置ずれした状態で導出されている。このような基板ユニットケースを備えた遊技機は、ワイヤーハーネスとコネクタの接続箇所がカバー部材によって覆われているため、細線導体を使用した不正行為を確実に防止することができ、また、カバー部材によってコネクタからワイヤーハーネスを引き抜き難くなるため、不正基板を使用した不正行為を抑制することができる。
【先行技術文献】
【特許文献】
【０００５】
【特許文献１】特開２０００−１４０３５４号公報
【発明の概要】
【発明が解決しようとする課題】
【０００６】
特許文献１に開示された従来の遊技機では、基板ユニットケースにワイヤーハーネスとコネクタの接続箇所を覆うカバー部材が付設されているため、このカバー部材によってコネクタへの不正アクセスを阻止することができる。しかしながら、ワイヤーハーネスがカバー部材の側壁の開口部から外方へ導出されて中継基板等まで引き回されているため、ワイヤーハーネスに対する不正行為を完全になくすことはできず、また、遊技機の設置時や保守点検時等にワイヤーハーネスを引っ掛けてしまったり損傷させてしまう虞がある。さらに、カバー部材の側壁にスリット状の細長い開口部を形成し、この開口部から複数のワイヤーハーネスを互いに重ならないように導出させているため、各ワイヤーハーネスの引き回し作業が煩雑になるという問題もある。
【０００７】
本発明は、上記した実情に鑑みてなされたものであり、その目的は、ワイヤーハーネスに関する不正行為を防止できると共に引き回し作業も簡素化できる遊技機を提供することにある。
【課題を解決するための手段】
【０００８】
上記の目的を達成するために、本発明は、機枠と、この機枠に対して開閉可能に装着された本体枠と、この本体枠の裏面側に配設された基板ケースと、この基板ケースの内部に収納された制御基板とを備え、前記制御基板がワイヤーハーネスを介して前記本体枠の裏面側に設けられた回路基板に接続されている遊技機において、前記基板ケースが前記制御基板に実装されたコネクタを外部に露出させる接続領域を有しており、この接続領域に前記ワイヤーハーネスの引き回し通路となる切欠き部が設けられていると共に、前記接続領域に少なくとも前記切欠き部を覆う保護カバーが被着されている構成とした。
【０００９】
このように構成された遊技機では、制御基板上のコネクタを露出させた基板ケースの接続領域に切欠き部が設けられており、このコネクタに接続されたワイヤーハーネスが切欠き部を通って本体枠の裏面側の回路基板まで引き回されているため、複数のワイヤーハーネスを一纏めにした状態で引き回し作業を行うことができる。そして、基板ケースの接続領域に切欠き部を覆うように保護カバーが被着されており、この保護カバーによってコネクタとワイヤーハーネスが包囲されているため、コネクタやワイヤーハーネスへの不正アクセスを確実に阻止することができる。
【００１０】
上記の構成において、基板ケース内に収納される制御基板は一枚であっても良いが、この制御基板が外形寸法を異にする矩形状の第１基板と第２基板からなり、これら第１および第２基板がケースの内部で接続されていると共に、外形寸法が大きい方の第１基板の一側辺に沿って第２基板と切欠き部が並設されていることが好ましい。このような構成を採用すると、基板対基板コネクタ（ＢｔｏＢコネクタ）等を用いて第１基板と第２基板を基板ケースの内部で直接カップリングできると共に、大きさの異なる第１基板と第２基板の接続箇所にできる余剰空間を有効利用して切欠き部を設けることができる。
【００１１】
また、上記の構成において、基板ケースを本体枠の裏面側に取り付ける手段は特に限定されないが、基板ケースが本体枠の裏面側に開閉可能に軸支されていると共に、保護カバーが基板ケースと同軸上で開閉可能に軸支されていると、基板ケースと保護カバーを本体枠の裏面側に簡単に取り付けることができ、保守点検やメンテナンス作業も容易に行うことができて好ましい。
【発明の効果】
【００１２】
本発明の遊技機では、制御基板上のコネクタを露出させた基板ケースの接続領域に切欠き部が設けられ、このコネクタに接続されたワイヤーハーネスが切欠き部を通って本体枠の裏面側の回路基板へと引き回されているため、ワイヤーハーネスの引き回し作業を簡単に行うことができると共に、切欠き部を覆うように取り付けられた保護カバーによってコネクタとワイヤーハーネスが包囲されているため、コネクタやワイヤーハーネスへの不正アクセスを確実に阻止することができる。
【図面の簡単な説明】
【００１３】
【図１】本発明の実施形態例に係るパチンコ機の外観斜視図である。
【図２】パチンコ機のガラス扉を開けた状態を示す外観斜視図である。
【図３】パチンコ機の背面図である。
【図４】パチンコ機に備えられる本体枠の斜視図である。
【図５】本体枠を別方向から見た斜視図である。
【図６】基板ユニットケースに収納された第１基板と第２基板を示す説明図である。
【図７】本体枠に対する基板ユニットケースの取付手順を示す斜視図である。
【図８】図６を別方向から見た斜視図である。
【図９】本体枠に基板ケースを取り付けた状態を示す説明図である。
【図１０】図９のＡ−Ａ線に沿う断面図である。
【図１１】基板ケースに保護カバーを取り付けた状態を示す説明図である。
【発明を実施するための形態】
【００１４】
発明の実施の形態について図面を参照して説明すると、図１に示すように、本実施形態例に係るパチンコ機（遊技機）Ｐは、遊技場の島設備に設置される縦長方形状の機枠１と、機枠１に扉状に開閉自在に取り付けられた本体枠２と、本体枠２の内側に収容されたガラス扉３等を具備しており、ガラス扉３にはガラスやプラスチック等からなる透明板４が取り付けられている。
【００１５】
図２に示すように、機枠１の左側枠部には上側軸受け体５と下側軸受け体（図示省略）が固着されており、この下側軸受け体よりも下方の左下隅部には大型のスピーカ６が配設されている。一方、本体枠２の左側枠部の上下両端には第１ピン（図示省略）が設けられており、これら両第１ピンを上側軸受け体５と下側軸受け体に軸支することによって、本体枠２を機枠１に対して開閉自在に支持する第１ヒンジ機構が構成されている。
【００１６】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカー装置、遊技釘、風車、アウト口等が設けられている。遊技盤７よりも下方の本体枠２は前面扉３によって覆い隠される設置部２ｂとなっており、この設置部２ｂ内の下部中央には遊技球を遊技領域９に向けて発射する発射装置１０が配設されている。
【００１７】
本体枠２の右側枠部は第１ヒンジ機構と反対側の自由端側であり、この右側枠部の裏面には図示せぬ施錠装置が設置されている。詳細な構成については後述するが、この施錠装置は、シリンダ錠１１や後部施錠杆や前部施錠杆等を備えており、シリンダ錠１１は本体枠２の前方へ突出して前面扉３の切欠き３ｂ内に露出するようになっている。常態では、施錠装置の後部施錠杆により本体枠２が機枠１に対して施錠されると共に、前部施錠杆により前面扉３が本体枠２に対して施錠されている。そして、シリンダ錠１１の鍵穴に差し込んだ図示せぬキーを一方向（例えば時計回り）へ回転操作すると、後部施錠杆が下動して本体枠２が解錠され、シリンダ錠１１ａの鍵穴に差し込んだキーを他方向（反時計回り）へ回転操作すると、前部施錠杆が上動して前面扉３が解錠されるようになっている。
【００１８】
図１に戻り、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。前面扉３には遊技盤７の盤面に対向する大きな開口３ａが開設されており、この開口３ａは透明板４によって塞がれている。前面扉３の前面上部には比較的小型のスピーカ１２が左右に１個ずつ配設されており、これらスピーカ１２と前述した大型のスピーカ６とによって遊技に関する様々な効果音を発するようになっている。また、前面扉３の前面下部には、遊技盤７の裏面に配設された賞球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１３の右側方には発射装置１０の発射強度を調整するための操作ハンドル１６が配設されている。
【００１９】
図３に示すように、このパチンコ機Ｐの背面側には、遊技に関する主要な処理を行う主制御基板１７と、主制御基板１７からの指令を受けて可変表示装置やスピーカ等の各種装置を制御する副制御基板１８と、前述した賞球払出装置１９と、主制御基板１７からの指令を受けて賞球払出装置１９を制御する払出制御基板２０等が設けられている。この払出制御基板２０は基板ケースに収納されて後述する基板ユニットケース２１を構成しており、図示省略されているが、主制御基板１７と副制御基板１８も基板ケースに収納されて別の基板ユニットケースを構成している。
【００２０】
基板ユニットケース２１の構成について図４〜図１１を参照しながら説明すると、この基板ユニットケース２１は、内部に空間部を有する基板ケース２２と、この基板ケース２２の空間部に収納された前述の払出制御基板２０と、基板ケース２２の一側部に装着された透明な保護カバー２３とを備えている。基板ケース２２は本体枠２の裏面側に設けられた一対の軸受部２ｃに開閉可能に支持されており、基板ケース２２の他側部は本体枠２の裏面側にスライド可能に設けられたロックレバー２４に係止されている。
【００２１】
基板ケース２２は矩形箱状の透明な上ケース２５と平板状の透明な下ケース２６とで構成されており、両ケース２５，２６をスライド嵌合によって重ね合わせた後、アンカーリベットやワンウェイネジ等の封印部材２７を用いて封印することにより、この封印部材２７を破壊しない限り基板ケース２２の封印状態を解除できないようになっている。上ケース２５の側壁には一対の筒状軸２５ｂが突設されており、これら筒状軸２５ｂを軸受部２ｃに挿入することにより、基板ケース２２は本体枠２の裏面側に開閉可能に支持されている。また、上ケース２５の側辺部は段落ち状の接続領域２５ａとなっており、この接続領域２５ａの隅部（コーナー）と下ケース２６の隅部は同一形状に切り欠かれている。そして、両ケース２５，２６を重ね合わせて基板ケース２２を構成したとき、両者の切り欠き同士を重ねることで基板ケース２２の隅部に長方形状の切欠き部２２ａが形成されるようになっている。
【００２２】
基板ケース２２の内部には払出制御基板（第１基板）２０と一緒にＣＲユニット端子接続板（第２基板）２８も収納されており、図６に示すように、これら払出制御基板２０とＣＲユニット端子接続板２８は基板対基板コネクタ（ＢｔｏＢコネクタ）２９を介して接続（カップリング）されている。ここで、払出制御基板２０とＣＲユニット端子接続板２８はいずれも長方形の外形を有しているが、両者２０，２８の外形寸法は大きく相違している。具体的には、払出制御基板２０の短辺寸法はＣＲユニット端子接続板２８の長辺寸法よりも長くなっており、払出制御基板２０の短辺下部にＣＲユニット端子接続板２８の長辺が接合されている。これにより、払出制御基板２０の短辺上部の側方にＣＲユニット端子接続板２８が接合されていない余剰空間ができ、この余剰空間内に前述した基板ケース２２の切欠き部２２ａが配置されるようになっている。
【００２３】
払出制御基板２０とＣＲユニット端子接続板２８にはコネクタ２０ａ，２８ａが実装されており、図９に示すように、これらコネクタ２０ａ，２８ａは上ケース２５を挿通して接続領域２５ａ内に露出している。払出制御基板２０上の複数のコネクタ２０ａにはそれぞれワイヤーハーネス３０の一端部が接続されており、これらワイヤーハーネス３０の他端部は、本体枠２の裏面側に設けられた中継基板３１上のコネクタ３１ａや、図示せぬ他の回路基板上のコネクタ等に接続されている（図８参照）。その際、ワイヤーハーネス３０は基板ケース２２の切欠き部２２ａを通って基板ユニットケース２１の背面側へ引き回されており、この切欠き部２２ａがワイヤーハーネス３０の引き回し通路となっている。図示省略されているが、ＣＲユニット端子接続板２８上のコネクタ２８ａには別のワイヤーハーネスの一端部が接続されており、このワイヤーハーネスの他端部はパチンコ機Ｐの側方に設置されたＣＲユニット機に接続されている。
【００２４】
保護カバー２３の一側壁には一対の軸部２３ａが突設されており、これら軸部２３ａを上ケース２５の筒状軸２５ｂに挿入することによって、保護カバー２３は基板ケース２２のヒンジ部に開閉可能に支持されている。保護カバー２３の他側壁にはフック片２３ｂが設けられており、保護カバー２３を閉じてフック片２３ｂを上ケース２５に係止することにより、接続領域２５ａ内に露出する払出制御基板２０上の各コネクタ２０ａと、各コネクタ２０ａに接続されたワイヤーハーネス３０が保護カバー２３によって覆われるようになっている。なお、保護カバー２３には長孔２３ｃが開設されており、ＣＲユニット端子接続板２８上のコネクタ２８ａがこの長孔２３ｃから露出するようになっている。
【００２５】
次に、このように構成された基板ユニットケース２１を本体枠２の裏面側に取り付ける組込手順について、主として図７〜図１１を参照しながら説明する。
【００２６】
図７（ａ）と図８（ａ）に示すように、基板ユニットケース２１を本体枠２に取り付ける前に、予め複数本のワイヤーハーネス３０を中継基板３１上のコネクタ３１ａ等に接続すると共に、これらワイヤーハーネス３０を一纏めにした状態で本体枠２の後方へ導出させておく。しかる後、図７（ｂ）と図８（ｂ）に示すように、上ケース２５の筒状軸２５ｂを軸受部２ｃに挿入することにより、基板ケース２２を本体枠２の裏面側に開閉可能に連結する。そして、この状態で基板ケース２２を閉鎖方向へ約９０度回転して本体枠２の裏面側に当接させた後、ロックレバー２４をスライド操作して基板ケース２２に係止することにより、基板ケース２２を本体枠２の裏面側に脱着不能に取り付ける。その際、ワイヤーハーネス３０は基板ケース２２の切欠き部２２ａを通って外方へ導出させてあるため、ワイヤーハーネス３０が基板ケース２２の開閉動作を妨げることはない。
【００２７】
このようにして基板ケース２２を本体枠２の裏面側に取り付けた後、切欠き部２２ａから導出されたワイヤーハーネス３０を接続領域２５ａ内に露出する払出制御基板２０側のコネクタ２０ａに接続する（図９参照）。しかる後、図７（ｃ）と図８（ｃ）に示すように、保護カバー２３の軸部２３ａを上ケース２５の筒状軸２５ｂに挿入することにより、保護カバー２３を基板ケース２２に開閉可能に連結し、この状態で保護カバー２３を閉鎖方向へ約９０度回転してフック片２３ｂを上ケース２５に係止する。これによって保護カバー２３が上ケース２５の接続領域２５ａに被着され、切欠き部２２ａを含めてコネクタ２０ａとワイヤーハーネス３０が保護カバー２３によって覆われる（図１１参照）。なお、この状態でＣＲユニット端子接続板２８側のコネクタ２８ａが保護カバー２３の長孔２３ｃから露出するため、このネクタ２８ａに別のワイヤーハーネスを接続すれば、ＣＲユニット端子接続板２８をＣＲユニット機に接続することができる。
【００２８】
以上説明したように、本実施形態例に係るパチンコ機Ｐでは、基板ケース２２を構成する上ケース２５の接続領域２５ａ内に払出制御基板２０上のコネクタ２０ａが露出していると共に、この接続領域２５ａの隅部に切欠き部２２ａが設けられており、コネクタ２０ａに接続したワイヤーハーネス３０がこの切欠き部２２ａを通って本体枠２の裏面側の中継基板３１等へ引き回されているため、複数のワイヤーハーネス３０を一纏めにした状態で引き回し作業を行うことができる。そして、コネクタ２０ａにワイヤーハーネス３０を接続した後、上ケース２５に保護カバー２３を被着することでコネクタ２０ａとワイヤーハーネス３０の接続箇所や切欠き部２２ａが覆われるため、コネクタ２０ａやワイヤーハーネス３０への不正アクセスを保護カバー２３によって確実に阻止することができる。
【００２９】
また、本実施形態例では、基板ケース２２の内部に外形寸法を異にする大小２種類の制御基板（払出制御基板２０とＣＲユニット端子接続板２８）が収納されており、これら払出制御基板２０とＣＲユニット端子接続板２８を基板ケース２２内でコネクタ接続するとと共に、外形の大きな払出制御基板２０の一側辺に沿ってＣＲユニット端子接続板２８と切欠き部２２ａが並設されているため、大きさの異なる２種類の制御基板２０，２８の接続箇所にできる余剰空間を有効利用して切欠き部２２ａを設けることができる。
【００３０】
また、本実施形態例では、基板ケース２２が本体枠２の裏面側に開閉可能に軸支されていると共に、保護カバー２３が基板ケース２２のヒンジ部である筒状軸２５ｂに開閉可能に軸支されているため、基板ケース２２と保護カバー２３を本体枠２の裏面側に簡単に取り付けることができだけでなく、基板ケース２２と保護カバー２３を同軸上で一体的に開閉動作させることが可能となるため、保守点検やメンテナンス作業を容易に行うことができる。
【００３１】
なお、上記の実施形態例では、基板ケース２２内に外形寸法を異にする大小２種類の制御基板（払出制御基板２０とＣＲユニット端子接続板２８）を収納した基板ユニットケース２１について説明したが、基板ケース２２に収納される制御基板の枚数や種類はこれに限定されず、上記した主制御基板１７や副制御基板１８等の他の制御基板を収納する基板ケースについても本発明を適用することは可能である。
【００３２】
また、上記の実施形態例では、基板ケース２２と保護カバー２３をヒンジ機構を介して開閉可能に支持した場合について説明したが、スナップ結合やスライド嵌合等の他の手段を用いて基板ケース２２と保護カバー２３を本体枠２の裏面側に取り付けるようにしても良い。
【符号の説明】
【００３３】
１  機枠
２  本体枠
２ｃ  軸受部
７  遊技盤
２０  払出制御基板（第１基板）
２０ａ  コネクタ
２１  基板ユニットケース
２２  基板ケース
２２ａ  切欠き部
２３  保護カバー
２３ａ  軸部
２３ｂ  フック片
２３ｃ  長孔
２４  ロックレバー
２５  上ケース
２５ａ  接続領域
２５ｂ  筒状軸
２６  下ケース
２７  封印部材
２８  ＣＲユニット端子接続板（第２基板）
２８ａ  コネクタ
２９  基板対基板コネクタ
３０  ワイヤーハーネス
３１  中継基板（回路基板）
３１ａ  コネクタ
Ｐ  パチンコ機（遊技機）
【図１】
2014132924.tif 000003
【図２】
2014132924.tif 000004
【図３】
2014132924.tif 000005
【図４】
2014132924.tif 000006
【図５】
2014132924.tif 000007
【図６】
2014132924.tif 000008
【図７】
2014132924.tif 000009
【図８】
2014132924.tif 000010
【図９】
2014132924.tif 000011
【図１０】
2014132924.tif 000012
【図１１】
2014132924.tif 000013